(57)【要約】【課題】加熱調理器と携帯型の情報端末とを連携させてより良い調理環境を提供する。【解決手段】加熱調理器１は、運転状態を示す運転状態情報を、ワイヤレス通信網を介して携帯情報端末５に送信する。携帯情報端末５は、受信した運転状態情報に基づいて、加熱調理器１の運転状態に関連する説明情報を生成し、運転状態情報及び説明情報の少なくとも一方を含む端末側報知情報を、端末側表示部５２を介してユーザーに提供する。【選択図】図１７
2014163537.tif 000002
【特許請求の範囲】
【請求項１】
被加熱物を加熱する加熱調理器と、当該加熱調理器とワイヤレス通信網を介して通信可能な携帯情報端末とを有する加熱調理システムであって、
前記加熱調理器は、
前記被加熱物を加熱する加熱部と、
前記加熱部に対する複数種の特定機能の選択情報及び前記特定機能における設定情報の少なくとも一方を含む操作情報を取得する調理器側操作情報取得部と、
前記操作情報に基づいて前記特定機能の夫々に対応する制御を行う調理器制御部と、
前記加熱調理器の運転状態を示す情報であって、前記選択情報、前記設定情報、前記特定機能の実行状態を示す実行状態情報の少なくとも１つを含む運転状態情報を生成する運転状態情報生成部と、
少なくとも前記運転状態情報を前記ワイヤレス通信網に送信する調理器側通信制御部と、を備え、
前記携帯情報端末は、
少なくとも前記加熱調理器からの前記運転状態情報を、前記ワイヤレス通信網を介して受信する端末側通信制御部と、
文字情報及びグラフィック情報を表示可能な端末側表示部と、
前記加熱調理器を利用するユーザーと当該加熱調理器とのヒューマン・マシン・インターフェース機能に対する制御を行うＨＭＩ制御部と、を備え、
前記ＨＭＩ制御部は、
前記運転状態情報を取得する運転状態情報取得部と、
前記運転状態情報に基づいて前記加熱調理器の運転状態に関連する説明情報を生成する説明情報生成部と、
前記運転状態情報及び前記説明情報に基づいて、端末側報知情報を生成する端末側報知情報生成部と、
前記端末側報知情報を、少なくとも前記端末側表示部を介して報知する端末側報知制御部と、
を備える加熱調理システム。
【請求項２】
前記携帯情報端末は、前記ワイヤレス通信網を介してクラウドデータベースと通信可能であり、
前記説明情報生成部は、前記端末側通信制御部を介して前記クラウドデータベースから前記加熱調理器に関する情報を取得して、前記説明情報を生成する請求項１に記載の加熱調理システム。
【請求項３】
前記加熱調理器は、前記特定機能の１つとして、複数の炊飯工程を順次実行して自動的に炊飯を行う自動炊飯機能を有し、
前記加熱調理器から送信される前記運転状態情報は、前記自動炊飯機能が実行中であることを示す炊飯機能実行情報と、炊飯の進捗を示す炊飯進捗情報とを含み、
前記説明情報は、夫々の前記炊飯工程を説明する情報を含む請求項１又は２に記載の加熱調理システム。
【請求項４】
前記加熱調理器は、前記特定機能の１つとして、加熱時間を設定して加熱し、自動的に停止するタイマー機能を有し、
前記加熱調理器から送信される前記運転状態情報は、前記タイマー機能が実行中であることを示すタイマー機能実行情報と、加熱の進捗を示すタイマー進捗情報とを含み、
前記説明情報は、前記タイマー機能の設定方法を案内する情報を含む請求項１又は２に記載の加熱調理システム。
【請求項５】
前記加熱調理器は、前記特定機能の１つとして、複数種の調理種別に対応し、当該調理種別に対応した加熱方法を設定して調理を支援する調理支援機能を有し、
前記加熱調理器から送信される前記運転状態情報は、前記調理支援機能が実行中であることを示す調理支援機能実行情報と、設定された前記調理種別を示す調理種別情報とを含み、
前記説明情報は、前記調理種別の設定方法及び前記調理種別の調理方法を案内する情報を含む請求項１又は２に記載の加熱調理システム。
【請求項６】
前記説明情報は、前記調理種別に応じた各種設定が可能な設定パラメータの設定方法を案内する情報を含み、
前記ＨＭＩ制御部は、
前記説明情報に応じて前記携帯情報端末に対して入力される前記ユーザーの操作指示を端末側操作情報として取得する端末側操作情報取得部と、
前記端末側操作情報に基づいて、前記加熱調理器に対する遠隔操作情報を生成する遠隔操作情報生成部と、をさらに備え、
前記端末側通信制御部は、前記遠隔操作情報を、前記ワイヤレス通信網を介して前記加熱調理器へ送信し、
前記調理器側通信制御部は、前記ワイヤレス通信網を介して前記遠隔操作情報を受信し、
前記調理器側操作情報取得部は、前記調理器側受信部が受信した前記遠隔操作情報を前記操作情報として取得し、
前記調理器制御部は、前記遠隔操作情報に基づいて、前記設定パラメータを設定して、前記特定機能を実行する請求項５に記載の加熱調理システム。
【請求項７】
前記説明情報生成部は、前記遠隔操作情報の送信に応じて、前記調理種別に応じた調理の進捗を示す情報を前記説明情報として生成する請求項６に記載の加熱調理システム。
【請求項８】
前記加熱調理器は、前記特定機能の１つとして、複数種の調理種別に対応し、当該調理種別に対応した加熱方法を設定して調理を支援する調理支援機能を有し、
前記説明情報生成部は、前記運転状態情報に基づいて、前記加熱調理器が実行中の調理に応じた支援情報を、前記説明情報として生成する請求項１から７の何れか一項に記載の加熱処理システム。
【請求項９】
前記携帯情報端末は、前記ユーザーの操作指示に基づいて、前記運転状態情報の送信を要求する送信要求情報を生成する送信要求情報生成部をさらに備え、
前記端末側通信制御部は、前記送信要求情報を、前記ワイヤレス通信網を介して前記加熱調理器へ送信し、
前記調理器側通信制御部は、前記ワイヤレス通信網を介して前記送信要求情報を受信し、
前記調理器側通信制御部は、前記送信要求情報に応答して前記運転状態情報を送信する請求項１から５の何れか一項に記載の加熱調理システム。
【請求項１０】
前記加熱調理器は、前記特定機能の１つとして、複数種の調理種別に対応し、当該調理種別に対応した加熱方法を設定して調理を支援する調理支援機能を有し、
前記加熱調理器から送信される前記運転状態情報は、前記調理支援機能の進捗を少なくとも示す調理支援機能実行情報を少なくとも含み、
前記説明情報生成部は、前記調理種別に応じた調理方法を複数の調理工程の実行順序により示す情報を前記説明情報として生成し、
前記端末側報知制御部は、実行中の前記調理工程を進捗に応じて強調表示する請求項１または２に記載の加熱調理システム。
【請求項１１】
前記加熱調理器は、前記特定機能の１つとして、複数種の調理種別に対応し、当該調理種別に対応した加熱方法を設定して調理を支援する調理支援機能を有し、
前記加熱調理器から送信される前記運転状態情報は、前記調理種別の情報を少なくとも含み、
前記説明情報生成部は、前記調理種別に応じた調理方法に関する詳細な情報を前記説明情報として生成する請求項１または２に記載の加熱調理システム。
【請求項１２】
前記端末側報知制御部は、前記運転状態情報に基づく前記端末側報知情報を抽象的なアニメーションによって前記端末側表示部に表示させる請求項１から１１の何れか一項に記載の加熱調理システム。
【請求項１３】
被加熱物を加熱する加熱部に対する複数種の特定機能の選択情報及び前記特定機能における設定情報の少なくとも一方を含む操作情報に基づいて前記特定機能の夫々に対応する制御を行い、運転状態を示す情報であって、前記選択情報、前記設定情報、前記特定機能の実行状態を示す実行状態情報の少なくとも１つを含む運転状態情報を生成してワイヤレス通信網に送信する加熱調理器と、当該ワイヤレス通信網を介して通信可能な携帯情報端末においてコンピュータに実現させる加熱調理システム用アプリケーションプログラムであって、
少なくとも前記加熱調理器からの前記運転状態情報を、前記ワイヤレス通信網を介して受信する端末側受信機能を有する端末側通信制御機能と、
前記加熱調理器を利用するユーザーと当該加熱調理器とのヒューマン・マシン・インターフェース機能に対する制御を行うＨＭＩ制御機能と、をコンピュータに実現させ、
前記ＨＭＩ制御機能が、
前記運転状態情報を取得する運転状態情報取得機能と、
前記運転状態情報に基づいて前記加熱調理器の運転状態に関連する説明情報を生成する説明情報生成機能と、
前記運転状態情報及び前記説明情報に基づいて、端末側報知情報を生成する端末側報知情報生成機能と、
文字情報及びグラフィック情報を表示可能な端末側表示部を少なくとも介して、前記端末側報知情報を報知する端末側報知制御機能と、を備える加熱調理システム用アプリケーションプログラム。
【発明の詳細な説明】
【技術分野】
【０００１】
本発明は、被加熱物を加熱する加熱調理器と、当該加熱調理器とワイヤレス通信網を介して通信可能な携帯情報端末とを有する加熱調理システムに関する。また、被加熱物を加熱する加熱調理器と、ワイヤレス通信網を介して通信可能な携帯情報端末において、実行される加熱調理システム用アプリケーションプログラムに関する。
【背景技術】
【０００２】
コンロなどの加熱調理器において、被加熱物の状態をセンシングして、その状態をユーザーに報知したり、加熱状態を自動制御したりする機能が実用化されている。特開２００３−２１９０４５号公報（特許文献１）には、ユーザーに調理機器の加熱状況を知らせる機能を有した加熱調理機器システムが開示されている。このシステムは、ガスコンロ、携帯型送受信装置を備えて構成されており、ガスコンロと携帯型送受信装置とは無線により通信可能である。ガスコンロ側では、ガスコンロのバーナー部に対するガスの流入量や、当該バーナー部に設置された鍋の底部の温度などの検出結果に用いて加熱状況が判定され、所定の条件に基づいて携帯型送受信装置に対して警報信号を送信する。警報情報を受け取ったユーザーは、ガスコンロに対して確認済信号を送信する。ガスコンロは、例えば警報信号を送信したにも拘わらず、確認済信号を受信しないような場合には、自動的にバーナー部へのガス供給を遮断するような制御を実施することが可能に構成されている（特許文献１：第２８〜４７段落等）。
【０００３】
特許文献１に開示されたシステムは、加熱調理器をより安全に利用する上で優れた機能を提供するものである。しかし、近年、各種センサーの機能向上やメモリーなどの記憶媒体の大容量化にも相まって、より詳細に被加熱物の状態を検出することが可能となり、また、被加熱物の多様な加熱モデルを記憶することも可能となってきている。このため、それらの情報（検出情報や加熱モデル情報）を用いて、自動的・半自動的に調理を行う機能が付加された加熱調理器も実用化されている。但し、そのような機能は、未だ単一の加熱調理器に付加されているに過ぎず、例えば携帯電話機のような情報端末（通信機能を有するタブレット端末等も含む）と連携した加熱調理システムは発展途上である。
【先行技術文献】
【特許文献】
【０００４】
【特許文献１】特開２００３−２１９０４５号公報
【発明の概要】
【発明が解決しようとする課題】
【０００５】
上記背景に鑑みて、加熱調理器と携帯型の情報端末とが連携し、ユーザーに対してより良い調理環境を提供することができる技術が望まれる。
【課題を解決するための手段】
【０００６】
上記課題に鑑みた本発明に係る加熱調理システムの特徴構成は、
被加熱物を加熱する加熱調理器と、当該加熱調理器とワイヤレス通信網を介して通信可能な携帯情報端末とを有する加熱調理システムであって、
前記加熱調理器が、
前記被加熱物を加熱する加熱部と、
前記加熱部に対する複数種の特定機能の選択情報及び前記特定機能における設定情報の少なくとも一方を含む操作情報を取得する調理器側操作情報取得部と、
前記操作情報に基づいて前記特定機能の夫々に対応する制御を行う調理器制御部と、
前記加熱調理器の運転状態を示す情報であって、前記選択情報、前記設定情報、前記特定機能の実行状態を示す実行状態情報の少なくとも１つを含む運転状態情報を生成する運転状態情報生成部と、
少なくとも前記運転状態情報を前記ワイヤレス通信網に送信する調理器側通信制御部と、を備え、
前記携帯情報端末が、
少なくとも前記加熱調理器からの前記運転状態情報を、前記ワイヤレス通信網を介して受信する端末側通信制御部と、
文字情報及びグラフィック情報を表示可能な端末側表示部と、
前記加熱調理器を利用するユーザーと当該加熱調理器とのヒューマン・マシン・インターフェース機能に対する制御を行うＨＭＩ制御部と、を備え、
前記ＨＭＩ制御部が、
前記運転状態情報を取得する運転状態情報取得部と、
前記運転状態情報に基づいて前記加熱調理器の運転状態に関連する説明情報を生成する説明情報生成部と、
前記運転状態情報及び前記説明情報に基づいて、端末側報知情報を生成する端末側報知情報生成部と、
前記端末側報知情報を、少なくとも前記端末側表示部を介して報知する端末側報知制御部と、を備える点にある。
【０００７】
この特徴構成によれば、表示領域が限定される加熱調理器においては報知しきれないような詳細な情報も、携帯情報端末の端末側表示部を利用してユーザーに報知することができる。例えば、加熱調理器においては、簡単なアイコン（イラスト）によって報知されるような情報も、携帯情報端末であれば、文字情報や写真などのより詳細な情報を付加して提供することができる。また、加熱調理器に自動調理機能が付加されているような場合には、調理が完了するまでの間、ユーザーが加熱調理器の傍から離れることができる。本特徴構成によれば、そのように加熱調理器とユーザーとが離れた場合であっても、ワイヤレス通信網を介して加熱調理器の運転状態をユーザーが認知することができる。このように、本特徴構成によれば、ユーザーに対してより良い調理環境を提供することが可能となる。
【０００８】
説明情報は、携帯情報端末において生成されるが、説明情報を生成するための情報の全てが携帯情報端末に準備されている必要はない。携帯情報端末は多様な用途に利用される可能性があり、また、携帯情報端末が備える記憶容量にも限りがある。例えば、運転状態情報を取得した際に、当該運転状態情報に応じた情報を、ワイヤレス通信網を介して取得すると好適である。１つの態様として、本発明に係る加熱調理システムは、前記携帯情報端末が、前記ワイヤレス通信網を介してクラウドデータベースと通信可能であり、前記説明情報生成部が、前記端末側通信制御部を介して前記クラウドデータベースから前記加熱調理器に関する情報を取得して、前記説明情報を生成すると好適である。
【０００９】
上述したように、加熱調理器には自動調理機能が付加されているものもある。炊飯は比較的時間を要する調理であり、調理が行われる頻度も高いので、炊飯についての情報が提供されるとユーザーにより良い調理環境を提供することができる。１つの態様として、本発明に係る加熱調理システムは、前記加熱調理器が、前記特定機能の１つとして、複数の炊飯工程を順次実行して自動的に炊飯を行う自動炊飯機能を有し、前記加熱調理器から送信される前記運転状態情報が、前記自動炊飯機能が実行中であることを示す炊飯機能実行情報と、炊飯の進捗を示す炊飯進捗情報とを含み、前記説明情報が、夫々の前記炊飯工程を説明する情報を含むと好適である。
【００１０】
また、日常的によく利用される自動調理機能としては、例えばタイマー機能がある。タイマー機能を利用している際の情報が提供されるとユーザーにより良い調理環境を提供することができる。１つの態様として、本発明に係る加熱調理システムは、前記加熱調理器が、前記特定機能の１つとして、加熱時間を設定して加熱し、自動的に停止するタイマー機能を有し、前記加熱調理器から送信される前記運転状態情報が、前記タイマー機能が実行中であることを示すタイマー機能実行情報と、加熱の進捗を示すタイマー進捗情報とを含み、前記説明情報が、前記タイマー機能の設定方法を案内する情報を含むと好適である。
【００１１】
また、加熱調理器には、指定された調理種別に適した加熱方法を設定して調理を支援する機能を備えたものもある。このような機能を利用する場合、その調理種別が、ユーザーになじみの薄いものである可能性もある。そのような場合に、より詳細な情報がユーザーに提供されるとユーザーの利便性が向上する。１つの態様として、本発明に係る加熱調理システムは、前記加熱調理器が、前記特定機能の１つとして、複数種の調理種別に対応し、当該調理種別に対応した加熱方法を設定して調理を支援する調理支援機能を有し、前記加熱調理器から送信される前記運転状態情報が、前記調理支援機能が実行中であることを示す調理支援機能実行情報と、設定された前記調理種別を示す調理種別情報とを含み、前記説明情報が、前記調理種別の設定方法及び前記調理種別の調理方法を案内する情報を含むと好適である。
【００１２】
ここで、さらに、前記説明情報が、前記調理種別に応じた各種設定が可能な設定パラメータの設定方法を案内する情報を含み、前記ＨＭＩ制御部が、前記説明情報に応じて前記携帯情報端末に対して入力される前記ユーザーの操作指示を端末側操作情報として取得する端末側操作情報取得部と、前記端末側操作情報に基づいて、前記加熱調理器に対する遠隔操作情報を生成する遠隔操作情報生成部と、をさらに備え、前記端末側通信制御部が、前記遠隔操作情報を、前記ワイヤレス通信網を介して前記加熱調理器へ送信し、前記調理器側通信制御部が、前記ワイヤレス通信網を介して前記遠隔操作情報を受信し、前記調理器側操作情報取得部が、前記調理器側受信部が受信した前記遠隔操作情報を前記操作情報として取得し、前記調理器制御部が、前記遠隔操作情報に基づいて、前記設定パラメータを設定して、前記特定機能を実行すると好適である。このような設定パラメータの設定には、しばしば取扱説明書の参照を必要とする。携帯情報端末を利用すれば、より詳細な案内を元にして設定することも可能であり、ユーザーの利便性が向上する。
【００１３】
さらに、前記説明情報生成部が、前記遠隔操作情報の送信に応じて、前記調理種別に応じた調理の進捗を示す情報を前記説明情報として生成すると好適である。この構成によれば、例えばユーザーが不慣れな料理を調理している場合であっても、その進捗を良好に把握することが可能となる。
【００１４】
調理を自動化することはできなくても、調理中に適切な案内を行うことで、ユーザーに安心感を与え、調理の失敗も軽減することができる。１つの態様として、本発明に係る加熱調理システムは、前記加熱調理器が、前記特定機能の１つとして、複数種の調理種別に対応し、当該調理種別に対応した加熱方法を設定して調理を支援する調理支援機能を有している場合、前記説明情報生成部が、前記運転状態情報に基づいて、前記加熱調理器が実行中の調理に応じた支援情報を、前記説明情報として生成すると好適である。
【００１５】
携帯情報端末に対する運転状態情報の送信は、常に実行される必要はない。例えば、ユーザーが求める場合にのみ、情報が提供されると通信負荷や、電力消費を抑制することができる。１つの態様として、本発明に係る加熱調理システムは、前記携帯情報端末が、前記ユーザーの操作指示に基づいて、前記運転状態情報の送信を要求する送信要求情報を生成する送信要求情報生成部をさらに備え、前記端末側通信制御部が、前記送信要求情報を、前記ワイヤレス通信網を介して前記加熱調理器へ送信し、前記調理器側通信制御部が、前記ワイヤレス通信網を介して前記送信要求情報を受信し、前記調理器側通信制御部が、前記送信要求情報に応答して前記運転状態情報を送信すると好適である。この場合、携帯情報端末から送信要求情報を送信し、運転状態情報を受信した場合にのみ、端末側報知制御部がユーザーに情報を報知することになる。
【００１６】
ところで、一般的には、１つの料理の調理には複数の調理工程が存在する。従って、調理の支援に際しては、それら調理工程の数や内容、順序などが明示されるとユーザーの理解の助けとなる。また、その際には現在進行中の調理工程が明示されるとさらに好適である。例えば、好適な態様として、本発明に係る加熱調理システムは、前記加熱調理器が、前記特定機能の１つとして、複数種の調理種別に対応し、当該調理種別に対応した加熱方法を設定して調理を支援する調理支援機能を有している場合、前記加熱調理器から送信される前記運転状態情報が、前記調理支援機能の進捗を少なくとも示す調理支援機能実行情報を少なくとも含み、前記説明情報生成部が、前記調理種別に応じた調理方法を複数の調理工程の実行順序により示す情報を前記説明情報として生成し、前記端末側報知制御部が、実行中の前記調理工程を進捗に応じて強調表示するとよい。
【００１７】
ところで、同じ料理であっても火加減や調理時間によって、出来上がりの形態が異なる場合がある。例えば麺類の仕上がりが固めであるか柔らか目であるか、焼き色の濃さ、焦げ目の有無などである。そこで、料理（調理種別）に応じた調理方法についての詳細な情報が提供されると好適である。１つの態様として、前記加熱調理器が、前記特定機能の１つとして、複数種の調理種別に対応し、当該調理種別に対応した加熱方法を設定して調理を支援する調理支援機能を有している場合、前記加熱調理器から送信される前記運転状態情報が、前記調理種別の情報を少なくとも含み、前記説明情報生成部が、前記調理種別に応じた調理方法に関する詳細な情報を前記説明情報として生成すると好適である。
【００１８】
上述したように、本発明に係る加熱調理システムでは、加熱調理器とユーザーとが離れた場合であっても、ワイヤレス通信網を介して加熱調理器の運転状態をユーザーが認知することができる。そして、そのような場合には、ユーザーはくつろいでいる可能性もあり、加熱調理器の運転状態を感覚的に知りたいような場合もある。そこで、１つの好適な態様として、本発明に係る加熱調理システムは、前記端末側報知制御部が、前記運転状態情報に基づく前記端末側報知情報を抽象的なアニメーションによって前記端末側表示部に表示させてもよい。
【００１９】
上述した本発明に係る加熱調理システムの種々の技術的特徴は、加熱調理システム用アプリケーションプログラムにも適用可能である。例えば、本発明に係る加熱調理システム用アプリケーションプログラムは、上述した加熱調理システムの特徴を備えた各種の機能をコンピュータに実現させることが可能である。以下にその代表的な態様を例示する。当然ながらこのような加熱調理システム用アプリケーションプログラムも、上述した加熱調理システムの作用効果を奏することができる。さらに、加熱調理システムの好適な態様として例示した種々の付加的特徴をこの加熱調理システム用アプリケーションプログラムに組み込むことも可能であり、当該プログラムはそれぞれの付加的特徴に対応する作用効果も奏することができる。
【００２０】
その場合における加熱調理システム用アプリケーションプログラムの特徴構成は
被加熱物を加熱する加熱部に対する複数種の特定機能の選択情報及び前記特定機能における設定情報の少なくとも一方を含む操作情報に基づいて前記特定機能の夫々に対応する制御を行い、前記加熱調理器の運転状態を示す情報であって、前記選択情報、前記設定情報、前記特定機能の実行状態を示す実行状態情報の少なくとも１つを含む運転状態情報を生成してワイヤレス通信網に送信する加熱調理器と、当該ワイヤレス通信網を介して通信可能な携帯情報端末においてコンピュータに実現させる加熱調理システム用アプリケーションプログラムであって、
少なくとも前記加熱調理器からの前記運転状態情報を、前記ワイヤレス通信網を介して受信する端末側受信機能を有する端末側通信制御機能と、
前記加熱調理器を利用するユーザーと当該加熱調理器とのヒューマン・マシン・インターフェース機能に対する制御を行うＨＭＩ制御機能と、をコンピュータに実現させ、
前記ＨＭＩ制御機能が、
前記運転状態情報を取得する運転状態情報取得機能と、
前記運転状態情報に基づいて前記加熱調理器の運転状態に関連する説明情報を生成する説明情報生成機能と、
前記運転状態情報及び前記説明情報に基づいて、端末側報知情報を生成する端末側報知情報生成機能と、
文字情報及びグラフィック情報を表示可能な端末側表示部を少なくとも介して、前記端末側報知情報を報知する端末側報知制御機能と、を備える点にある。
【図面の簡単な説明】
【００２１】
【図１】加熱調理システムの構成例を模式的に示す図
【図２】ガスコンロの外観図
【図３】加熱調理システムの機能構成例を模式的に示すブロック図
【図４】ガスコンロの加熱部の構成例を模式的に示す図
【図５】ガスコンロ（バーナー）の操作部（操作パネル）の一例を示す図
【図６】ガスコンロ（バーナー）の操作部（操作シート）の一例を示す図
【図７】ガスコンロ（グリル）の操作部（操作シート）の一例を示す図
【図８】ガスコンロ（バーナー）の操作部（操作シート）の構造例を示す図
【図９】ガスコンロの天面表示部の外観の一例を示す図
【図１０】天面表示部の表示例を示す図
【図１１】天面表示部の表示例を示す図
【図１２】天面表示部の表示例を示す図
【図１３】天面表示部の表示例を示す図
【図１４】スマートフォンのハードウェア構成を模式的に示すブロック図
【図１５】ＨＭＩ制御部の構成例を模式的に示すブロック図
【図１６】天面表示部の表示例（蒸らし工程）を示す図
【図１７】スマートフォンにおける表示例を示す図（自動炊飯機能）
【図１８】スマートフォンにおける表示例を示す図（タイマー機能）
【図１９】天面表示部の表示例を示す図（アラカルト調理）
【図２０】スマートフォンにおける表示例を示す図（焼きいも）
【図２１】スマートフォンにおける表示例を示す図（焼きいも）
【図２２】スマートフォンにおける表示例を示す図（焼きいも）
【図２３】調理支援の一例を示す図
【図２４】調理工程の遷移と共に運転状態を報知する例を示す図
【図２５】抽象的な形態で運転状態を報知する例を示す図
【発明を実施するための形態】
【００２２】
〔システム概要〕
以下、本発明の実施形態を、加熱調理器と、携帯情報端末とが協働する加熱調理システムを例として、図面に基づいて説明する。本実施形態において、加熱調理器１と、携帯情報端末５とは、図１に示すような形態により、ワイヤレス通信網Ｎを介して通信し、協働する。ワイヤレス通信網Ｎによる通信の１つの形態としては、符号“ＮＡ”で示すアドホック・モードやポイント・ツー・ポイント・モードなど、対応する加熱調理器１と携帯情報端末５とが直接一対一で通信する形態を採ることができる。
【００２３】
あるいは、図１に符号“ＮＩ”で示すインフラストラクチャー・モードと称される形態で、加熱調理器１と携帯情報端末５とが通信を行う形態を採ることもできる。具体的には、図１に示すように、加熱調理器１及び携帯情報端末５以外の機器も接続されるネットワークに、加熱調理器１及び携帯情報端末５がそれぞれ接続され、当該ネットワークを介して両者が通信する。当該ネットワークへは、アクセスポイントＡＰを介して接続される。このネットワークは、例えばユーザーの家庭内のローカルなネットワーク（構内ＬＡＮ）であってもよいし、インターネットであってもよい。図１に示すように、構内用アクセスポイントＡ１を介して両者が構内ＬＡＮに接続されてもよいし、外部用アクセスポイントＡ２，Ａ３を介して両者がインターネットに接続されてもよい。当然ながら、構内用アクセスポイントＡ１及び構内ＬＡＮを経由して、両者がインターネットに接続されてもよい。何れにしても、加熱調理システム９は、加熱調理器１と、携帯情報端末５とが、直接コネクタやケーブルによって有線により接続されることなく、ワイヤレス通信網Ｎを介して接続され、協働するシステムである。
【００２４】
本実施形態においては、加熱調理器１としてガスコンロを適用し、携帯情報端末５としてスマートフォンを適用した場合を例として説明する。ここで、スマートフォンとは、インターネットとの親和性が高く、パーソナルコンピュータの機能をベースとして作られた多機能携帯電話をいう。尚、加熱調理器１、携帯情報端末５は、ガスコンロやスマートフォンに限定されるものではない。加熱調理器１としてＩＨヒーターやホットプレートを適用することもできる。また、携帯情報端末５として、データ通信機能付きの携帯電話（フィーチャーフォン）や、データ通信機能付きの携帯型音楽プレーヤー、データ通信機能付きのカメラなどを適用することもできる。また、携帯情報端末５は、掌にすっぽり収まるような小型の携帯機器に限定されることなく、画面サイズが７〜９インチ以上のタブレット型端末も含まれる。
【００２５】
〔ガスコンロ（加熱調理器）〕
上述したように、本実施形態においては、加熱調理器１としてガスコンロを用いた形態を例示する。図２は、キッチンの調理テーブルのテーブルトップに組み込まれたガスコンロ１Ａを示している。テーブルトップの下方には、ガスコンロ１Ａの本体部（図２では不可視）が収容されている。当該本体部の上面には、当該上面よりも周囲にはみ出したフランジ部を有する平板状の天板ＴＰが備えられている。天板ＴＰは、例えば、耐熱性強化ガラスにより構成されている。ガスコンロ１Ａの本体部は、テーブルトップをくり抜いた開口部を通ってテーブルトップの下方に収容され、フランジ部によってテーブルトップに支持されている。
【００２６】
ガスコンロ１Ａは、加熱部Ｓとして、左バーナーＢＬ、右バーナーＢＲ、後バーナーＢＢの３つのバーナーＢと、１つのグリルＧとを有して構成されている。各バーナーＢは、吐出される燃料ガスのブンゼン燃焼によって炎を出す炎口ｂ７と、炎口ｂ７の周囲を水平面（天板ＴＰ）に沿って取り囲む五徳ｂ９とを備えている。炎口ｂ７は、天板ＴＰから上方に突き出すように設置されており、五徳ｂ９は、天板ＴＰの面上に設置されている。鍋やフライパンなどの被加熱物は、五徳ｂ９の上に設置され、炎口ｂ７から吹き出す炎によって加熱される。
【００２７】
グリルＧは、被加熱物を収容する収容空間ｇ０に引き出し式に出入りするグリル本体ｇ１を備えて構成されている。グリル本体ｇ１は、被加熱物が載置されるグリル焼き網ｇ３と、グリル焼き網ｇ３を支持する焼き網支持台ｇ４と、グリル焼き網ｇ３から滴る焼き汁等を受け止めるグリル受け皿ｇ５と、グリル本体ｇ１を収容空間ｇ０に収容する際にグリルＧの扉となるグリル扉ｇ６と、グリルＧの内部（閉空間となった収容空間ｇ０）をグリルＧの外部から視認できるようにグリル扉ｇ６に設けられたグリル扉ガラスｇ７とを有して構成されている。収容空間ｇ０には、スライドレールｇ２が備えられ、グリル本体ｇ１は、このスライドレールｇ２をスライドすることによって収容空間ｇ０に対して引き出し式に出入りする。グリルＧにおいて炎を出す炎口（図２では不図示）は、収容空間ｇ０の上下に設けられている。
【００２８】
図３の模式的ブロック図に示すように、加熱部Ｓ（バーナーＢ及びグリルＧ）の運転は、ガスコンロ１Ａに備えられた調理器制御部１１によって制御される。ガスコンロ１Ａには、マイクロコンピュータなどの論理演算プロセッサを中核とする調理器制御装置１０が備えられている。調理器制御部１１は、調理器制御装置１０を構成するハードウェア及びプログラムなどのソフトウェアとの協働によって実現される機能部である。後述する調理器側操作情報取得部１２、運転状態情報生成部１３、調理器側報知制御部１４、調理器側通信制御部１９等も同様の機能部である。従って、これら各機能部は、一部又は全てが共通のハードウェアやソフトウェアによって構成される場合がある。以下、調理器制御装置１０による加熱部Ｓの運転制御について説明する。バーナーＢ及びグリルＧの基本的な構造及び制御形態は同様であるから、ここでは１つのバーナーＢを代表として説明する。
【００２９】
図４の模式的構成図に示すように、バーナーＢのバーナー本体ｂ６には、燃料ガスＦを供給する供給管ｂ８が接続されている。供給管ｂ８には、燃料ガスＦの供給量を調整する調整弁ｂ１と、バーナーＢへの燃料ガスの供給を遮断可能な遮断弁ｂ２とが配置されている。また、炎口ｂ７付近には、炎の有無を検出する火炎センサーｂ３と、燃料ガスＦを火花点火可能な点火栓ｂ４が配置されている。さらに、五徳ｂ９に載置された被加熱物Ｐの底面に当接してこの被加熱物Ｐの温度を検出する温度センサーｂ５が配置されている。調整弁ｂ１、遮断弁ｂ２、火炎センサーｂ３、点火栓ｂ４、温度センサーｂ５は、調理器制御部１１に接続されている。
【００３０】
上述したように、調理器制御装置１０は、ハードウェア及びプログラムなどのソフトウェアとの協働によって実現される機能部を有して構成されている。図３及び図４に示すように、調理器制御装置１０は、機能部として、調理器制御部１１と、調理器側操作情報取得部１２と、運転状態情報生成部１３と、調理器側報知制御部１４とを有している。調理器制御部１１は、加熱部Ｓに対する複数種の特定機能の夫々に対応する制御を行う機能部である。調理器側操作情報取得部１２は、特定機能の選択情報及び特定機能における設定情報の少なくとも一方を含む操作情報を取得する機能部である。運転状態情報生成部１３は、ガスコンロ１Ａ（加熱調理器１）の運転状態を示す情報であって、選択情報、設定情報、特定機能の実行状態を示す実行状態情報の少なくとも１つを含む運転状態情報を生成する機能部である。調理器側報知制御部１４は、特定機能の実行状態をユーザーに報知するための調理器側報知情報を生成して調理器側報知部４を介してユーザーに報知する機能部である。
【００３１】
調理器側操作情報取得部１２は、図５から図７に一例を示すコンロ操作部３（調理器操作部）に対するユーザーの操作を操作情報（調理器側操作情報）として取得する。図５は、ガスコンロ１Ａの主電源ボタン３１、３つのバーナーＢを夫々個別に点火・消火・火炎調整することができる３つのバーナー用ダイヤルスイッチ３２、ガスコンロ１Ａの操作を制限するロック機能ボタン３９が備えられた操作パネル３ｍを示している。図８に示すように、バーナー用ダイヤルスイッチ３２は、バーナーＢが停止状態（消火状態）の際には、操作パネル３ｍのパネル面とほぼ同一面まで押し込まれている。バーナー用ダイヤルスイッチ３２は押し戻し式のスイッチとなっており、ユーザーはバーナー用ダイヤルスイッチ３２を押し込み、ロックを解除させて、バーナー用ダイヤルスイッチ３２をパネル面よりも突出させる。突出した後は、バーナー用ダイヤルスイッチ３２が回転可能となるので、ユーザーは回転に応じて火力を調整することができる。バーナーＢを消火する場合には、ユーザーは、バーナー用ダイヤルスイッチ３２を操作パネル３ｍのパネル面とほぼ同一面まで押し込む。
【００３２】
各バーナーＢは、湯沸かし、炊飯、炒め調理など、調理種別に応じて、調理器制御部１１によって火力や加熱時間を自動調整できるように構成されている。このため、このような調理種別をユーザーが指示できるように、操作パネル３ｍとは別に、図６に示すようなバーナー操作シート３ｂ（操作シート３ｓ）もガスコンロ１Ａに備えられている。操作シート３ｓは、ユーザーによる操作の利便性を考慮して、図２に示すように、操作時にはシート面が上向きとなるように設けられている。しかし、ガスコンロ１Ａの正面から操作シート３ｓが突出することになるので、操作シート３ｓを使用しない場合には、ガスコンロ１Ａの本体部に収納可能に構成されている。具体的には、図８に示すように、操作シート３ｓは、押し戻し式のロック機構により通常時は、本体部に収容されている。ユーザーが操作シート３ｓの壁面を押圧することで押し戻し式のロック機構が解除され、操作シート３ｓが突出するように構成されている。
【００３３】
図６に示すように、バーナー操作シート３ｂには、各バーナーＢに割り当て可能な調理種別や調節機能に対応したキーが、バーナーＢごとに区分されて設けられている。本実施形態では、左バーナーＢＬと右バーナーＢＲとは同じ調理種別、同じ調節機能が割り当てられている。左バーナーＢＬ及び右バーナーＢＲは、調理種別として“湯沸かし”、“あぶり高温炒め”が割り当てられ、これらに対応した湯沸かしキーｋ１及びあぶり高温炒めキーｋ３が、バーナー操作シート３ｂに設けられている。後バーナーＢＢは、調理種別として“湯沸かし”に代えて“炊飯”が割り当てられ、これに対応した炊飯キーｋ２が、バーナー操作シート３ｂに設けられている。“あぶり高温炒め”とは、直火料理や、鍋を頻繁に上げるような動作を行う炒め料理などを行う際の動作モードであり、他のモードよりも高い温度まで調理が可能な動作モードである。
【００３４】
３つのバーナーＢには、共通した調節機能として、“タイマー機能”が割り当てられている。タイマー機能は、設定された加熱時間の間、バーナーＢを燃焼状態とし、加熱時間経過後にバーナーＢを停止する（消火する）機能である。加熱時間を設定するために、プラスキーとマイナスキーとの一対のタイマー設定キーｋ５が設けられている。また、左バーナーＢＬ及び右バーナーＢＲには、被加熱物Ｐの温度を一定に保持する“定温保持機能”も割り当てられている。設定温度は、例えば１０［℃］ごとなど、段階的に設定可能であり、温度設定キーｋ４を操作する度に、１４０［℃］から２００［℃］の範囲で１０［℃］間隔で設定温度が上昇し、最高温度までいくと最低温度に戻って巡回するように構成されている。尚、温度設定キーｋ４を操作するごとに設定温度が低下したり、最初にキー操作した際に設定される温度が中間の１７０［℃］〜１８０［℃］であったりしてもよい。設定された調理種別や調整機能などの設定パラメータは、取り消しキーｋ９（とりけし）によって取り消すことができる。
【００３５】
グリルＧは、バーナーＢよりもさらに多くの調理種別に対応可能である。ユーザーは、図７に示すグリル操作シート３ｇ（操作シート３ｓ）を介してグリルＧに対する調理種別や調節機能を設定することができる。グリルＧは、自動的に調理を行うオートモードに対応した調理機能と、ユーザーが火力や時間を設定して調理を行うマニュアルモードに対応した調理機能とを実行可能に構成されている。
【００３６】
オートモードに対応した調理機能としては、“あたため”、“魚焼き”、“焼き加減設定”、“アラカルト調理”の４つの機能が個別又は重複して利用可能である。それぞれの機能に対応して、あたためキーｊ１、魚キーｊ２、焼き加減キーｊ３、アラカルトキーｊ４が、グリル操作シート３ｇに設けられている。あたため機能は、被加熱物Ｐを自動的に温める機能であり、魚焼き機能は、被加熱物Ｐとしての魚を自動的に焼く機能である。焼き加減設定機能は、あたため機能や魚焼き機能を利用する際の火力調整を、温める対象物（揚げ物・焼き物など）や、魚の状態（切り身・姿焼き・干物など）によって設定できる機能である。アラカルト調理機能は、焼きいも、焼き鳥、ピザなど料理の種別を設定することによって自動的に調理を行う機能である。一旦設定した内容（設定パラメータ）は、設定変更キーｊ８で変更したり、取り消しキーｊ９（とりけし）で取り消したりすることができる。尚、グリルＧには、バーナーＢのように点火や消火を行う操作パネル３ｍが設けられていないので、グリル操作シート３ｇに点火／消火キーｊ０が設けられている。
【００３７】
マニュアルモードに対応した調理機能としては、“火力切り換え”、“タイマー機能”、“ダッチオーブン機能”が利用可能である。それぞれの機能に対応して、火力切換キーｊ５、タイマー設定キーｋ５、ダッチオーブンキーｊ６が、グリル操作シート３ｇに設けられている。上述したように、グリルＧには、収容空間ｇ０の上下に炎口が設けられている。収容空間ｇ０の上部に備えられた炎口（上火）と、下部に備えられた炎口（下火）とは、個別に火力調整が可能である。上下それぞれが“強”と“弱”とに火力調整可能な場合には、４通りの組み合わせにより火力調節を行うことができる。ユーザーは、火力切換キーｊ５を操作するごとに、例えば、“上火強・下火強”、“上火強・下火弱”、“上火弱・下火強”、“上火弱・下火弱”というように火力調節を行うことができる。タイマー機能については、バーナーＢと同様であるので説明は省略する。ダッチオーブン機能は、ダッチオーブンを収容空間ｇ０に収容して調理を行う機能である。
【００３８】
調理器側操作情報取得部１２は、図５から図７に示すコンロ操作部３（調理器操作部）に対するユーザーの操作を操作情報（調理器側操作情報）として取得する。調理器制御部１１は、調理器側操作情報取得部１２を介して、操作情報を受け取り、この操作情報に基づいて、バーナーＢやグリルＧ、具体的には、調整弁ｂ１、遮断弁ｂ２、点火栓ｂ４等を制御して、加熱部Ｓの特定機能を実現させる。
【００３９】
ユーザーによるコンロ操作部３への操作内容は、天板ＴＰに設けられた天面表示部４０（調理器側報知部４）に表示される。１つの態様として、調理器制御部１１は、調理器側操作情報取得部１２を介して受け取った操作情報を、運転状態情報生成部１３に伝達する。運転状態情報生成部１３は、操作情報を含む運転状態情報を調理器側報知制御部１４に伝達する。調理器側報知制御部１４は、運転状態情報に基づいて調理器側報知情報を生成して、天面表示部４０に出力する。ユーザーは、天面表示部４０を介してコンロ操作部３への操作内容を確認することができる。尚、調理器制御装置１０に構成される各機能部は、共通のハードウェアやソフトウェアを利用して構築可能であるから、例えば、調理器側操作情報取得部１２が取得した操作情報を用いて、直接に調理器側報知制御部１４が調理器側報知情報を生成してもよい。
【００４０】
図９は、天面表示部４０の一例を示している。天面表示部４０は、液晶などのフラットディスプレイパネルにより構成されている。図９において“Ｙ”方向は、天板ＴＰに沿ってガスコンロ１Ａの手前側から奥側へと向かう奥行き方向である。また、“Ｘ”方向は天板ＴＰに沿ってガスコンロ１Ａの左右方向である。天面表示部４０の表示面は、初期状態では、図９に示すように領域区分されている。表示面は、奥行き方向Ｙにおける手前側と奥側とに２分割され、手前側にはグリル状態表示領域４４が、奥側にはバーナー状態表示領域４５が形成される。バーナー状態表示領域４５は、さらに各バーナーＢに対応するように左右方向Ｘに沿って３つの領域に分割されている。バーナー状態表示領域４５には、図示左側から、左バーナー状態表示領域４１、後バーナー状態表示領域４２、右バーナー状態表示領域４３が形成される。また、これらそれぞれの領域（４１，４２，４３）に対応して、各バーナー（ＢＬ，ＢＢ，ＢＲ）の火力をイコライザー方式で点灯数によって示す火力インジケータ４６が、奥行き方向Ｙにおける手前側に形成された火力表示領域４７に設けられている。
【００４１】
ここで、天面表示部４０における具体的な表示例を示す。例えば、右バーナーＢＲが１分間のタイマー機能を設定されて点火された場合には、図１０に示すように、右バーナー状態表示領域４３に“鍋”の標章と共にタイマー設定時間の“１分”が表示される。また、バーナー操作シート３ｂの炊飯キーｋ２が操作され、後バーナーＢＢに、“炊飯”の機能が割り当てられている場合には、図１１に示すように、後バーナー状態表示領域４２に、炊飯を示す“かまど”の標章が表示される。また、グリルＧが、マニュアルモードで使用され、ユーザーが火力切換キーｊ５を操作して“上火強・下火強”を選択した場合には、図１２に示すように、グリルＧがマニュアルモードであること、及びグリルＧの火加減が、グリル状態表示領域４４に表示される。
【００４２】
尚、上述したように、グリルＧは、“アラカルト調理”の機能も有している。アラカルト調理機能は、焼きいも、焼き鳥、ピザなど料理の種別（調理種別）を設定することによって自動的に調理を行う機能である。このため、料理の種別や、仕上がりについてある程度詳細な設定が可能に構成されている。このような詳細な設定を行う場合には、図１３に示すように、天面表示部４０の表示面を奥行き方向Ｙの奥側と手前側とに分割する分割線が奥側に移動し、手前側のグリル状態表示領域４４が拡大される。そして、拡大されたグリル状態表示領域４４には、アラカルト調理の種別（焼きいも・焼きなす・鶏もも肉など）や、その焼き加減（標準・強め・弱め）などの選択項目が表示される。選択後に調理が開始されると、図１２と同様の画面構成に戻る。例えば、調理種別が“焼きいも”で、焼き加減が“標準”の場合には、図１２において“マニュアルグリル”と表示されていた箇所に“焼きいも（標準）”と表示される。
【００４３】
尚、調理器側報知情報は、このような詳細な情報に限らず、単にバーナーＢやグリルＧが使用中であることを示すような情報であってもよい。また、その報知の方法についても、図１０〜図１３に例示したように、グラフィック（標章）や文字を用いることに限らず、単にＬＥＤなどのインジケータを発光させるだけのものであってもよい。例えば、操作パネル３ｍ（図５参照）の主電源ボタン３１には、電源が入っている際に赤橙色に点灯する電源インジケータ３６が内蔵されている。また、バーナー用ダイヤルスイッチ３２にも、燃焼時に赤橙色に点灯するバーナーインジケータ３７が内蔵されている。バーナー用ダイヤルスイッチ３２がパネル面に対して突出し、バーナーＢが点火されると、バーナーインジケータ３７が点灯する。尚、自動的にバーナーＢが停止された場合には、バーナー用ダイヤルスイッチ３２が突出状態であってもバーナーインジケータ３７は消灯する。また、グリルＧには、グリル扉ｇ６にグリルインジケータ４ｇが内蔵されている（図２参照）。グリルＧに点火されると、グリルインジケータ４ｇが赤橙色に点灯し、グリルＧが使用中であることがユーザーに報知される。
【００４４】
尚、バーナーインジケータ３７やグリルインジケータ４ｇの報知色は、さらに多様な形態を有していてもよい。例えば、バーナーインジケータ３７は、鍋等の被加熱物ＰがバーナーＢに設置されていないときには無色であり、被加熱物Ｐが設置されると白色に点灯し、燃焼時に赤橙色となり、自動停止（自動消火）等でバーナー用ダイヤルスイッチ３２が突出状態の場合には、白色で点滅するような形態であってもよい。また、グリルインジケータ４ｇは、グリルＧが未使用の場合には、無色であり、グリルＧの機能選択を行っている際には白色に点灯し、燃焼時に赤橙色となり、自動停止（自動消火）等でグリルの火が消えた場合には、白色で点滅するような形態であってもよい。
【００４５】
ところで、上述したように、操作パネル３ｍには、ガスコンロ１Ａの操作を制限するロック機能ボタン３９が設けられている。ユーザーが、このロック機能ボタン３９を所定時間（例えば３秒間）押し続けると、操作ロック機能が有効となり、ガスコンロ１Ａの操作が制限される。操作パネル３ｍには、操作ロック機能が有効であることを示すロック機能インジケータ３８も備えられている。これら、電源インジケータ３６、バーナーインジケータ３７、グリルインジケータ４ｇ、ロック機能インジケータ３８などのインジケータ４９も、調理器側報知部４に相当する。
【００４６】
〔スマートフォン（携帯情報端末）〕
加熱調理システムにおける携帯情報端末５は、図３に示すように、ワイヤレス通信網Ｎを介して加熱調理器１と通信する端末側通信制御部５９と、文字情報及びグラフィック情報を表示可能であると共にユーザーによる操作入力を受け付け可能な表示操作部５２と、加熱調理器１を利用するユーザーと加熱調理器１とのヒューマン・マシン・インターフェース機能に対する制御を行うＨＭＩ制御部５１と、カメラ５３と、と備えて構成されている。本実施形態では、携帯情報端末５としてスマートフォン５Ａを例示しており、以下スマートフォン５Ａの構成について説明する。
【００４７】
図１４は、スマートフォン５Ａのハードウェア構成を模式的に示すブロック図である。スマートフォン５Ａの大部分のハードウェアは、メインボード５０（マザーボード）と称される基板上に搭載される。アンテナ５６やカメラ５３、マイク５５ｍなどの主要な周辺デバイスも当該メインボード５０に接続される。スマートフォン５Ａは、通常、固定的な電力線に接続されることなく使用されるので、リチウムイオン電池などの二次電池５５ｂを備えており、メインボード５０には、二次電池５５ｂを介して各部に電力を供給する電源モジュール５０ｐも搭載されている。
【００４８】
メインボード５０には、スマートフォン５Ａの中核となるメインプロセッサーＭＰ、メインプロセッサーＭＰにおいて実行されるプログラム（ソフトウェア）が記憶されたフラッシュメモリー５０ｆ、プラグラム実行中の一時ファイルを記憶するメインメモリー５０ｍが搭載されている。メインメモリー５０ｍは揮発性メモリーでよく、例えばＤＲＡＭが用いられる。また、本実施形態では、スマートフォン５Ａに対してメモリーカード５５ｃも着脱可能に構成されている。メインプロセッサーＭＰは、メモリーカード５５ｃに格納された、画像や音声を含む各種データや、アプリケーションプログラムなどを利用することも可能である。ＨＭＩ制御部５１、端末側通信制御部５９は、これらメインプロセッサーＭＰやメモリー（５０ｆ，５０ｍ）などのハードウェアと、プログラム（ソフトウェア）との協働によって実現される機能部である。
【００４９】
スマートフォン５Ａには、複数の方式に対応したワイヤレス通信モジュール５０ｔが搭載されている。本実施形態では、ワイヤレス通信モジュール５０ｔとして、携帯電話回線網との通信を制御するベースバンドプロセッサ５９ｂと、無線ＬＡＮによる通信を制御する無線ＬＡＮモジュール５９ｒとがメインボード５０に搭載されている態様を例示している。ワイヤレス通信モジュール５０ｔは、メインプロセッサーＭＰと共に、携帯情報端末５の端末側通信制御部５９として機能する。また、スマートフォン５Ａには、通話の際に利用されるマイク５５ｍとスピーカー５５ｓも備えられている。メインボード５０には、ボイスモジュール５０ｖやオーディオモジュール５０ａが搭載されている。マイク５５ｍはボイスモジュール５０ｖを介してメインプロセッサーＭＰに接続されている。また、スピーカー５５ｓは、オーディオモジュール５０ａ及びボイスモジュール５０ｖを介してメインプロセッサーＭＰと接続されている。
【００５０】
携帯情報端末５の表示操作部５２は、スマートフォン５Ａにおいては、端末側表示部として機能するディスプレイパネル５２ｄと、端末側操作部として機能するタッチパネル５２ｔとにより構成されている。本実施形態では、表示操作部５２は、ディスプレイパネル５２ｄとタッチパネル５２ｔとが一体化されたタッチディスプレイパネルとして構成されている。また、スマートフォン５Ａには、カメラ５３が搭載されている。カメラ５３により撮影された撮影画像は、メインプロセッサーＭＰを介して、或いはＤＭＡ転送などによりメインボード５０上に設けられたデータバスを介して直接に、メインメモリー５０ｍやメモリーカード５５ｃ、フラッシュメモリー５０ｆ等に格納される。
【００５１】
また、スマートフォン５Ａには、ジャイロセンサー、加速度センサー、気圧センサー、温度センサー、方向センサー、重力センサーなどの各種センサーが搭載されている。本実施形態では、メインボード５０に加速度センサー５０ｓが搭載されている形態を例示している。加速度センサー５０ｓは、スマートフォン５Ａの傾きや向きを検出する。つまり、加速度センサー５０ｓによってスマートフォン５Ａの上下方向を検出して、メインプロセッサーＭＰは、その上下方向に応じてディスプレイパネル５２ｄへの表示方向を制御することができる。本実施形態では、加速度センサー５０ｓを利用する形態を例示したが、重力センサーやジャイロセンサーを用いることも可能である。当然ながら、複数のセンサーが搭載されていてもよい。加速度センサー５０ｓは、本発明の姿勢検出部に相当する。
【００５２】
図１５のブロック図は、ＨＭＩ制御部５１の構成を模式的に示している。ＨＭＩ制御部５１は、ガスコンロ１Ａから受信した情報を情報処理して表示操作部５２を介してユーザーに報知するための機能部として、運転状態情報取得部６１と、説明情報生成部６２と、端末側報知情報生成部６３とを備えている。情報処理された情報は、端末側報知制御部８５を介して表示操作部５２に伝達される。また、ＨＭＩ制御部５１は、ユーザーにより表示操作部５２から入力される情報を情報処理して送信部５７を介してワイヤレス通信網Ｎへ送信するための機能部として、端末側操作情報取得部７１と、遠隔操作情報生成部７３とを備えている。
【００５３】
また、ＨＭＩ制御部５１は、種々の標章を生成して表示操作部５２を介してユーザーに報知するための機能部として、標章生成部８３を備えて構成されている。本実施形態では、ＨＭＩ制御部５１に調理器データベース８０を備え、この調理器データベース８０から標章などのデータを取得可能に構成されている形態を例示している。この調理器データベース８０は、固定的にスマートフォン５Ａに備えられている必要はなく、適宜書き換えが可能なようにフラッシュメモリー５０ｆなどに構築されていると好適である。あるいは、必要に応じて情報を取得して、一時的にメインメモリー５０ｍなどの揮発性のメモリーに当該情報を格納するような形態であってもよい。
【００５４】
〔加熱調理システム〕
ＨＭＩ制御部５１に構築される各種機能部の詳細については、以下に詳述する加熱調理システム９の説明において適宜行う。１つの好適な態様として、加熱調理システム９は、ガスコンロ１Ａの運転状態を、当該ガスコンロ１Ａと離間したスマートフォン５Ａにおいてユーザーが確認できるように構成されている。
【００５５】
加熱調理器１としてのガスコンロ１Ａにおいて、調理器側操作情報取得部１２は、加熱部Ｓに対する複数種の特定機能の選択情報及び特定機能における設定情報の少なくとも一方を含む操作情報を取得し、調理器制御部１１は、その操作情報に基づいて特定機能の夫々に対応する制御を行う。運転状態情報生成部１３は、ガスコンロ１Ａの運転状態を示す情報であって、選択情報、設定情報、特定機能の実行状態を示す実行状態情報の少なくとも１つを含む運転状態情報を生成する。調理器側通信制御部１９の送信部１７（調理器側送信部）は、少なくとも運転状態情報を、ワイヤレス通信網Ｎを介して送信する。ここで、送信先は、スマートフォン５Ａなどの携帯情報端末５であってもよいし、ワイヤレス通信網に接続された所定の記録媒体（例えば、クラウドデータベース）であってもよい。
【００５６】
携帯情報端末５としてのスマートフォン５Ａにおいては、端末側通信制御部５９の受信部５８（端末側受信部）が、少なくともガスコンロ１Ａからの運転状態情報を、ワイヤレス通信網Ｎを介して受信する（端末側通信制御機能／ステップ）。ＨＭＩ制御部５１の運転状態情報取得部６１は、端末側通信制御部５９を介して運転状態情報を取得する（運転状態情報取得機能／ステップ）。説明情報生成部６２は、運転状態情報取得部６１が取得した運転状態情報に基づいてガスコンロ１Ａの運転状態に関連する説明情報を生成する（説明情報生成機能／ステップ）。端末側報知情報生成部６３は、運転状態情報及び説明情報に基づいて、端末側報知情報（例えば表示操作部５２（端末側表示部）に表示する情報）を生成する（端末側報知情報生成機能／ステップ）。端末側報知制御部８５は、端末側報知情報を表示操作部５２に表示させたり、スピーカー５５ｓを介して音声を発せさせたりする（端末側報知制御機能／ステップ）。
【００５７】
即ち、端末側報知情報生成部６３は、ガスコンロ１Ａから提供された運転状態情報、及び、スマートフォン５Ａにおいて生成された説明情報の一方又は双方を用いて端末側報知情報を生成することができる。従って、ガスコンロ１Ａの例えば、天面表示部４０に表示される内容に比べてほり詳細な情報をユーザーに提供することが可能である。ところで、上述したように、調理器データベース８０は、固定的にスマートフォン５Ａに備えられている必要はない。必要に応じて情報を取得して、一時的にメインメモリー５０ｍなどの揮発性のメモリーに当該情報を格納するような形態であってもよい。スマートフォン５Ａは、ワイヤレス通信網Ｎを介して通信可能なクラウドデータベースからガスコンロ１Ａに関する情報を取得してもよい。説明情報生成部６２は、端末側通信制御部５９を介してクラウドデータベースからガスコンロ１Ａに関する情報を取得して、説明情報を生成することもできる。尚、調理器側通信制御部１９の送信部１７が運転状態情報を送信する先が、このようなクラウドデータベースであってもよい。この場合、クラウドデータベースは、ワイヤレス通信網Ｎを介してガスコンロ１Ａからの運転状態情報を取得して格納する。そして、運転状態情報取得部６１は、端末側通信制御部５９を介してクラウドデータベースから運転状態情報を受信する。
【００５８】
〔具体例１〕
以下、具体的な報知例を挙げて説明する。上述したように、バーナーＢ（後バーナーＢＢ）は、調理種別として、炊飯の機能（自動炊飯機能）を有している。自動炊飯機能は、ガスコンロ１Ａの有する特定機能の１つであり、複数の炊飯工程を順次実行して自動的に炊飯を行う機能である。複数の炊飯工程とは、例えば、弱火又は中火で加熱する初期工程、強火で加熱する強火工程、バーナーＢの火を消して米を蒸らす蒸らし工程などである。あるいは、初期工程と強火工程とを合わせた加熱工程と、残った水や水蒸気を飛ばす蒸発工程と、その後の蒸らし工程とに区分されていてもよい。ここで、自動炊飯機能を利用する際の一般的な流れについて説明する。
【００５９】
ユーザーは、研いだ後の米に対して所定の水加減をした炊飯用の鍋を後バーナーＢＢの五徳ｂ９の上に置く。次に、ユーザーは、操作パネル３ｍの主電源ボタン３１を押してガスコンロ１Ａの主電源を投入する（図５参照）。ガスコンロ１Ａに主電源が投入されると、主電源ボタン３１に内蔵された電源インジケータ３６が例えば赤橙色に点灯する。続いて、ユーザーは、押し戻し式のバーナー用ダイヤルスイッチ３２を押してバーナー用ダイヤルスイッチ３２を突出させ、バーナーＢを点火する。点火に伴ってバーナー用ダイヤルスイッチ３２に内蔵されたバーナーインジケータ３７が例えば赤橙色に点灯する。また、天面表示部４０において後バーナーＢＢに対応する火力インジケータ４６も火力に応じて点灯する。次に、ユーザーは、バーナー操作シート３ｂの後バーナー用の操作領域に配置されている炊飯キーｋ２を操作する。例えば、炊飯キーｋ２を押すたびに、“ごはん”→“やわらか食感”→“おかゆ”→“ごはん”→・・・と、炊き上がりの状態が変わり、ユーザーの所望の炊き上がりを設定することができる。ユーザーは、点火の前に炊飯キーｋ２を操作してもよい。尚、自動炊飯の設定後、自動炊飯を取りやめる場合には、ユーザーは、取り消しキーｋ９を操作する。
【００６０】
炊飯キーｋ２によって炊き上がりの状態が設定されると、自動炊飯が開始される（加熱工程）。この時、天面表示部４０の後バーナー状態表示領域４２には、図１１及び図１６の上段に示すように、後バーナーＢＢが“ごはん”モードで自動炊飯を行っていることが表示される。また、火力インジケータ４６には、火力“３”で燃焼していることが表示される。加熱工程及び蒸発工程が完了すると、バーナーＢが自動的に停止され、蒸らし工程に移行する。蒸らし工程では、バーナーＢの火が消えているので、火力インジケータ４６の表示は消える。しかし、炊飯は完了していないので、ユーザーが蒸らし中であるのかを容易に判断できるように、天面表示部４０には、図１６に示すように蒸らし中であることを示す表示が表示される。図１６に例示するように、蒸らし工程の残り時間も表示されると好適である。
【００６１】
蒸らし工程が完了すると、全ての炊飯工程が完了するので、例えば図１６に示すように“炊けました”という表示など、炊飯完了をユーザーに報知する表示が、天面表示部４０に表示される。所定の表示時間（例えば、３０秒など）が経過すると、天面表示部４０の表示は、初期状態に戻る。また、バーナーインジケータ３７の点灯状態は、赤橙色の点灯状態から、例えば３０秒程度の白色の点滅状態を経て、白色の点灯状態に変わる。ユーザーがバーナー用ダイヤルスイッチ３２を再度押し込むことによって、このスイッチは格納され、バーナーインジケータ３７は消灯する。尚、蒸らし工程が開始されたときや、蒸らし工程の残り時間が所定時間以下（例えば３０秒）となった際に、ブザーやチャイム、メッセージ等の音声を用いた報知も行われると好適である。
【００６２】
このような炊飯工程の実行中に、ガスコンロ１Ａから運転状態情報が送信される。運転状態情報の生成及び送信は、ガスコンロ１Ａの運転状態が変化したときでもよいし、定期的（例えば１分ごと）であってもよい。当然ながら、定期的に生成及び送信を行いつつ、運転状態に変化が生じた際にも生成及び送信する形態であってもよい。
【００６３】
ガスコンロ１Ａの運転状態情報生成部１３により生成される運転状態情報には、自動炊飯機能が実行中であることを示す“炊飯機能実行情報”と、炊飯の進捗を示す“炊飯進捗情報”とが少なくとも含まれる。図１１及び図１６に示したように、後バーナーＢＢが“ごはん”モードで自動炊飯を行っていることの表示は、炊飯機能実行情報に基づいて調理器側報知制御部１４において実行される。また、図１６に示すように、蒸らし工程への移行や、蒸らし工程中の残り時間の表示等は、炊飯進捗情報に基づいて実行される。
【００６４】
炊飯機能実行情報と炊飯進捗情報とが少なくとも含まれる運転状態情報を受け取ったスマートフォン５Ａの説明情報生成部６２は、この運転状態情報に基づいて、自動炊飯機能を説明する情報を説明情報として生成する。端末側報知情報生成部６３は、この説明情報に基づいて、炊飯中であること（炊飯機能実行情報）及び炊飯残り時間（炊飯進捗情報）の少なくとも一方と、説明情報とを少なくとも含むように、端末側報知情報を生成する。
【００６５】
図１７は、スマートフォン５Ａの表示操作部５２における表示例を示している。スマートフォン５Ａには、炊飯中であることを示す情報として、天面表示部４０と同様に“かまど”のグラフィック及び“ごはん”の文字が表示される。また、天面表示部４０の火力インジケータ４６と同様に火力を示す情報が“炎”のグラフィックを用いて表示される。これらのグラフィック（標章）は、標章生成部８３において生成される。また、スマートフォン５Ａの表示操作部５２には、炊飯工程に関する時間（炊飯関連時間）、例えば、全ての工程の残り時間、或いは炊飯工程を構成する各工程の残り時間、炊飯工程全体の経過時間などの少なくとも１つが表示される。ここでは、炊飯開始からの経過時間（３６分）と、実行中の工程の残り時間（５分）が表示される例を示している。
【００６６】
さらに、スマートフォン５Ａの表示操作部５２には、炊飯工程の内の蒸発工程を実行中であることを示す標章が表示されている。本実施形態では、炊飯工程が、加熱工程、蒸発工程、蒸らし工程の３つの工程から構成され、蒸発工程が実行中の場合を例示している。加熱工程は既に完了しているために、薄く表示され、実行中の蒸発工程は強調表示されている。さらに、実行中の蒸発工程について、「水を飛ばす工程です。次はむらしです。」と、実行中の工程を説明するメッセージが表示されている。また、図１７に示す例では、説明情報として、さらにガス料金の目安が表示されている。
【００６７】
このように、一般的にはガスコンロ１Ａの天面表示部４０よりも広い面積を有するスマートフォン５Ａの表示操作部５２を用いることで、調理開始からの経過時間や、ガス料金、炊飯工程の各工程を示す標章、実行中の工程の残り時間、実行中の工程の説明や次の工程を案内するメッセージなど、より詳細なガスコンロ１Ａの運転状態をユーザーに報知することができる。また、ガスコンロ１Ａとスマートフォン５Ａとは、ワイヤレス通信網Ｎを介して接続されているので、スマートフォン５Ａを携帯するユーザーは、ガスコンロ１Ａから離れた位置でガスコンロ１Ａの運転状態、つまり調理の進行状態を知ることができる。
【００６８】
〔具体例２〕
上述したように、各バーナーＢは、調理種別として、加熱時間を設定して自動的に停止するタイマー機能を有している。タイマー機能は、ガスコンロ１Ａの有する特定機能の１つである。ここで、タイマー機能を利用する際の一般的な流れについて説明する。ユーザーは、加熱対象の例えば鍋をバーナーＢの五徳ｂ９の上に置く。主電源の投入からバーナー用ダイヤルスイッチ３２を用いた点火、及び各種インジケータの点灯については、自動炊飯機能について説明した上記と同様であるから、詳細な説明を省略する。バーナー操作シート３ｂを利用したタイマー機能の設定についても、上述した通りであるから詳細な説明は省略する。上述したように、タイマー機能を実行中における天面表示部４０の表示形態は、例えば図１０に示すような形態である。
【００６９】
タイマー機能の実行中には、ガスコンロ１Ａから運転状態情報が送信される。送信される運転状態情報には、タイマー機能が実行中であることを示すタイマー機能実行情報と、加熱の進捗を示すタイマー進捗情報とが少なくとも含まれる。スマートフォン５Ａの説明情報生成部６２は、端末側通信制御部５９を介して運転状態情報取得部６１が取得した運転状態情報に基づいて、タイマー機能の設定方法を説明する情報を説明情報として生成する。端末側報知情報生成部８４は、タイマー機能の実行中であること（タイマー機能実行情報）及び残り時間（タイマー進捗情報）の少なくとも一方と、説明情報とを少なくとも含むように、端末側報知情報を生成する。
【００７０】
図１８は、スマートフォン５Ａの表示操作部５２における表示例を示している。タイマー機能が実行中であることを示すタイマー機能実行情報と、加熱の進捗を示すタイマー進捗情報とに基づく表示として、天面表示部４０と同様のグラフィックが、スマートフォン５Ａの表示操作部５２に表示される。また、タイマー機能の設定方法を説明する情報が説明情報として、スマートフォン５Ａの表示操作部５２に表示される。ここでは、図１８に示すように、バーナー操作シート３ｂのタイマー設定キーｋ５や取り消しキーｋ９（とりけし）を表すグラフィックと、その操作例を示すユーザーの手のグラフィックが表示される例を示している。また、説明情報として、設定時間の刻みや、設定可能な時期も文字情報として表示される。例えば、設定時間の刻みについては「１分刻みで１〜１２０分（最長）」などと表示される。また、タイマー機能を取り消しても、バーナーＢの火が消えないことも注意事項として表示される。さらに、設定時期について、「調理中でもタイマーの変更は可能です」などと表示されても好適である。
【００７１】
本実施形態の加熱調理システム９においては、ガスコンロ１Ａと離れた場所においてスマートフォン５Ａなどの携帯情報端末５を介してガスコンロ１Ａの運転状態をユーザーが確認できる。このように、スマートフォン５Ａにタイマーの残り時間と共に、設定方法や設定時期が表示されることで、ユーザーはタイマーを延長したい場合に、容易にガスコンロ１Ａの仕様を理解してタイマーを設定することができる。
【００７２】
〔具体例３〕
以上、バーナーＢを用いた際の報知例について説明したが、グリルＧを用いた場合にも同様である。グリルＧは、上述したように、特定機能の１つとして、複数種の調理種別に対応し、当該調理種別に対応した加熱方法を設定して調理を支援する調理支援機能を実行可能に構成されている。上述したように、グリルＧは、オートモードに対応した調理機能として、“あたため”、“魚焼き”、“焼き加減設定”、“アラカルト調理”の４つの機能を有している。そして、アラカルト調理機能は、焼きいも、焼き鳥、ピザなど料理の種別を設定することによって自動的に調理を行う機能である。ここでは、調理支援機能の１つとしての“アラカルト調理”において、“焼きいも”が選択された場合を例として説明する。
【００７３】
主電源の投入や、それに伴う電源インジケータ３６の点灯については上述した通りであるから、詳細な説明は省略する。グリルＧのアラカルト調理機能を使用する際には、まず、ユーザーは、グリル操作シート３ｇのアラカルトキーｊ４を押す。天面表示部４０には、図１３に示すように、アラカルト調理の調理種別の選択画面が表示される。アラカルトキーｊ４が押されるたびに、調理種別が切り替わる。図１３に示す例では、アラカルトキーｊ４が押されるたびに、焼きいも→焼きナス→鶏もも肉→・・・の順に調理種別が切り替わる。調理種別を設定すると、ユーザーは、次に焼き加減を設定する。例えば、焼き加減キーｊ３が押されるたびに、標準→強め→弱め→標準→・・・と切り替わる。調理種別及び焼き加減を設定した後、ユーザーは、点火／消火キーｊ０を押し、グリルＧに点火する。グリルＧは、設定された内容に従って、自動的に調理を行う。
【００７４】
自動調理機能が実行されると、天面表示部４０は図１９に示すようにグリルＧの実行状態を表示する。図１３に示す例では、手前側のグリル状態表示領域４４を拡大するために、表示面分割する分割線が奥行き方向Ｙにおいて奥側に移動している。アラカルト調理のメニュー（焼きいも・焼きなす・鶏もも肉など）や、その焼き加減（標準・強め・弱め）などの選択後に調理が開始されると、図１２と同様の画面構成に戻る。本例では、図１９に示すように、グリル状態表示領域４４の左側には調理種別及び焼き加減が“焼きいも（標準）”と表示され、右側にはグリルＧの使用経過時間（ここでは９分）と、グリルＧが点火中であることを示す炎のグラフィックが表示される。尚、この炎のグラフィックは、マニュアル状態で使用している際には、収容空間ｇ０の上部に備えられた炎口（上火）と、下部に備えられた炎口（下火）とのそれぞれの火力を表している。自動調理機能の実行中には、図１９に示すように、規則的に強火と弱火とを繰り返すことによって炎の揺らぎを演出し、調理中であることを示すと好適である。
【００７５】
このようにグリルＧが自動調理機能を実行する際には、バーナーＢの使用時と同様に、ガスコンロ１Ａから運転状態情報が送信される。送信される運転状態情報には、調理支援機能（ここでは“アラカルト調理”）が実行中であることを示す調理支援機能実行情報、及び設定された調理種別を示す調理種別情報が少なくとも含まれる。スマートフォン５Ａの説明情報生成部６２は、端末側通信制御部５９を介して運転状態情報取得部６１が取得した運転状態情報に基づいて、調理種別の設定方法及び調理種別に関する調理方法を説明する情報を説明情報として生成する。端末側報知情報生成部８４は、調理支援機能実行情報及び調理種別情報の少なくとも一方と、説明情報とを少なくとも含むように、端末側報知情報を生成する。
【００７６】
図２０は、スマートフォン５Ａの表示操作部５２における表示例を示している。天面表示部４０と同様に、グリルＧが、アラカルト調理の調理支援機能（焼きいも（標準）で）を実行中であることが表示されると共に、そのアラカルト調理に関する説明が表示されている。ここでは、調理種別を表す焼きいもの画像や、グリルＧの火が消えた後も自走調理機能の実行が継続し、余熱で甘味を出す工程が存在することが、説明情報として表示操作部５２に示されている。ここでは、「消火後、余熱で甘みを出します。グリルとびらを開けないでください。」というメッセージが表示される例を示している。しかし、このようなメッセージに限らず、「竹串がスッとさされば焼き上がりです。焼き足りない場合は、マニュアルグリルで様子を見ながら焼いてください。」などと、後工程についての説明を説明情報として表示しても好適である。
【００７７】
〔具体例４〕
ところで、このようなアラカルト調理の機能を利用する場合、ユーザーは、設定内容がよくわからない場合がある。例えば、焼きいもの際には、調理対象のさつまいもの大きさにおって火加減を変える必要があるが、どの火加減を選択すればよいかについて説明書を見なければわからない可能性がある。また、グリル焼き網ｇ３への材料の配置方法についても、説明書を見なければわからない可能性がある。アラカルト調理では、頻繁に調理を行うことのない調理種別の調理を行う可能性があり、グリルＧの設定をより容易に行うことができると好適である。そこで、スマートフォン５Ａは、説明情報として、各調理種別に応じたガスコンロ１Ａの使用方法を表示すると共に、スマートフォン５Ａによりガスコンロ１Ａの設定ができるように構成されていると好適である。
【００７８】
１つの態様として、スマートフォン５Ａの端末側報知情報生成部８４は、ユーザーの操作指示を促すための操作標章を含んで表示画像を生成する。つまり、説明情報は、調理種別に応じた各種設定が可能な操作標章を含んで生成される。具体的には、図１５に示すように、スマートフォン５Ａは、少なくともガスコンロ１Ａの特定機能に対応するように、グラフィック画像として操作標章を生成する標章生成部８３と、その操作標章に対するユーザーの操作指示に基づいて、ガスコンロ１Ａに対する遠隔操作情報を生成する遠隔操作情報生成部７３とを備えて構成されている。
【００７９】
標章生成部８３及び端末側報知情報生成部８４で生成され、表示操作部５２に表示された操作標章に対するユーザーの操作指示は、表示操作部５２のタッチパネル５２ｔによって検出される。そして、その操作指示による情報は、ユーザーによる操作情報（端末側操作情報）として、端末側操作情報取得部７１に取得される。遠隔操作情報生成部７３は、端末側操作情報取得部７１に取得された操作情報に基づいて、遠隔操作情報を生成する。操作標章へのユーザーの操作指示に基づく遠隔操作情報は、調理種別に対応した設定パラメータを含む情報である。生成された遠隔操作情報は、端末側通信制御部５９の送信部５７によりワイヤレス通信網Ｎに送信される。
【００８０】
調理器側通信制御部１９の受信部１８は、ワイヤレス通信網Ｎを介して遠隔操作情報を受信する。調理器側操作情報取得部１２は、調理器側の受信部１８が受信した遠隔操作情報を操作情報（調理器側操作情報）として取得する。調理器制御部１１は、操作情報としての遠隔操作情報に基づいて対応する特定機能を実行する。つまり、調理器制御部１１は、遠隔操作情報に含まれる当該設定パラメータに基づいて調理支援機能を実行する。
【００８１】
以下、具体例を挙げて説明する。グリルＧのアラカルト調理機能を使用する際、まず、ユーザーは、グリル操作シート３ｇのアラカルトキーｊ４を押し、図１３に示すように天面表示部４０に表示されるアラカルト調理の選択画面を介して調理種別を選択する。この時点において、ガスコンロ１Ａから運転状態情報が送信される。ガスコンロ１Ａは、アラカルト調理の選択中であるから、運転状態情報は、アラカルト調理の選択状態を示す情報となる。スマートフォン５Ａの表示操作部５２には、アラカルト調理の選択画像と共に、図２０に示すように説明情報も表示される。尚、ガスコンロ１Ａにおいてグリル操作シート３ｇが操作されなくても、スマートフォン５Ａにおいて実行されるアプリケーションプログラムの機能によって、表示操作部５２に同様の表示がされてもよい。
【００８２】
具体的には、例えば、図２１に示すように、説明情報として調理種別を視覚的に明示する写真や絵により、アラカルト調理の調理種別が選択可能な操作標章（選択画像）が表示操作部５２に表示される。ここで、ユーザーが左上の“焼きいも”の操作標章にタッチすると、表示操作部５２は、焼きいもに対応した設定パラメータ（ここでは焼き加減）を設定する画面に遷移する。この際、焼きいもの調理を行うための注意事項などが、説明情報として表示される。図２１に示す例では、いもをアルミ箔で包むことや、グリル焼き網ｇ３における並べ方、いもの太さと焼き加減との関係などが説明情報として表示操作部５２に表示される。
【００８３】
ユーザーが、焼き加減を設定すると、表示操作部５２の画面は、グリルＧを点火する操作画面に遷移する。この画面では、グリルＧに設定されている設定パラメータなどを確認することができ、変更する場合には設定画面に戻って再設定できるような操作標章（戻る）も設けられている。ユーザーがグリルＧを点火する操作標章を操作すると、遠隔操作情報がスマートフォン５Ａからガスコンロ１Ａに送信され、グリルＧが点火される。グリルＧが燃焼を始めると、グリルＧの運転状態がスマートフォン５Ａの表示操作部５２に表示される。この際、グリルＧを消火するための操作標章が表示されると好適である。尚、表示操作部５２の表示内容は、図２１に示すような操作標章を含む画像である必要はなく、図２０に例示したような画像であってもよい。また、図２２に示すように、グリルＧを消火するための操作標章と共に調理種別に応じた調理の進捗を示す情報を表示してもよい。このように、説明情報生成部６２は、遠隔操作情報の送信に応じて、調理種別に応じた調理の進捗を示す情報を説明情報として生成してもよい。
【００８４】
〔具体例５〕
上記説明においては、調理支援機能の１つとしての自動調理機能が実行される場合について説明した。調理支援機能は、そのような自動調理機能に限らず、ユーザーが手動で調理をする場合にも、その調理を支援することが可能である。つまり、説明情報生成部６２は、運転状態情報に基づいて、ガスコンロ１Ａが実行中の調理に応じた支援情報を、説明情報として生成することが可能である。
【００８５】
例えば、ユーザーがチャーハンを作る場合に、その調理に対する支援を受ける例を用いて説明する。ユーザーは、図２３に示すように、スマートフォン５Ａに表示される選択画面から支援を受ける調理種別（ここでは、チャーハン）を選択する。スマートフォン５Ａの表示操作部５２には、例えば、「左バーナー又は右バーナーを利用してください。あぶり高温炒めの選択をおすすめします。はじめに、油をひいて鍋を強火で温めてください。」などと、使用する加熱部Ｓや、火加減についての支援情報が提示される。この際、表示操作部５２への表示にとどまらず、スピーカー５５ｓを利用して音声による案内も実行されると好適である。
【００８６】
バーナーＢの運転状態や、鍋の温度は、運転状態情報としてガスコンロ１Ａからスマートフォン５Ａに伝達される。鍋が所定の温度に達すると、表示操作部５２には、例えば「材料を鍋に入れ、すばやく炒めてください。」などと、調理方法の説明が支援情報として提示される。同様に音声による案内も実行されると好適である。バーナーＢの運転状態や、鍋の温度の変化、加熱時間などは、運転状態情報としてガスコンロ１Ａからスマートフォン５Ａに伝達される。所定の炒め時間が経過すると、表示操作部５２には、例えば「調理完了です。バーナーを消火してください。」などと、提示される。同様に音声による案内も実行されると好適である。バーナーＢの火が消えたことや、鍋の温度は、運転状態情報としてガスコンロ１Ａからスマートフォン５Ａに伝達される。表示操作部５２には、例えば「暖かいうちに、皿に移してください。ラップをかけて保存する場合は、充分に冷めてから行ってください。」など、調理後の料理の扱いについての説明が支援情報として提示される。同様に音声による案内も実行されると好適である。
【００８７】
〔具体例６〕
具体例５では、運転状態に応じて、自動的に調理支援が実行される例を示したが、ユーザー（スマートフォン５Ａ）とガスコンロ１Ａとの間で対話的に調理支援が実行されるように構成されていてもよい。この場合、例えば、スマートフォン５Ａは、マイク５５ｍを介して音声により入力されたユーザーの操作指示に基づいて、ガスコンロ１Ａに運転状態情報の送信を要求する送信要求情報を生成する送信要求情報生成部を有して構成される。本実施形態においては、この送信要求情報生成部は、遠隔操作情報生成部７３を兼用して構成される。マイク５５ｍ及びオーディオモジュール５０ａを介してメインプロセッサーＭＰに入力された音声による操作指示（運転状態情報の送信要求）は、端末側操作情報取得部７１に取得される。遠隔操作情報生成部７３は、端末側操作情報取得部７１が取得したこの操作指示に基づいて遠隔操作情報の１つとしての送信要求情報を生成する。
【００８８】
送信要求情報は、スマートフォン５Ａの送信部５７、ワイヤレス通信網Ｎ、ガスコンロ１Ａの受信部１８を経て、調理器制御部１１に伝達される。調理器制御部１１は、ガスコンロ１Ａの送信部１７に、送信要求情報に基づいて運転状態情報を送信するように指令し、送信部１７は、ワイヤレス通信網Ｎを介してスマートフォン５Ａに運転状態情報を送信する。
【００８９】
ここで、ユーザーがチャーハンを作る場合に、音声入力を用いた対話型で、その調理に対する支援を受ける例を用いて説明する。ユーザーは、スマートフォン５Ａのマイク５５ｍに向かって、例えば「チャーハンの作り方を知りたい。」と音声入力を行う。この際、ガスコンロ１Ａが未使用状態であると、ガスコンロ１Ａは、スマートフォン５Ａに対して、バーナーＢが未使用状態であることを運転状態情報として送信する。スマートフォン５Ａは、この運転状態情報に基づいて、チャーハンを作るために使用するバーナーＢについての説明情報を表示操作部５２やスピーカー５５ｓを介してユーザーに報知する。例えば、「左バーナー又は右バーナーを利用してください。あぶり高温炒めの選択をおすすめします。はじめに、油をひいて鍋を強火で温めてください。」などと、使用する加熱部Ｓや、火加減についての支援情報が、表示操作部５２やスピーカー５５ｓを介してユーザーに提示される。
【００９０】
ユーザーが鍋をセットして、加熱を開始すると、バーナーＢの運転状態や、鍋の温度が、運転状態情報としてガスコンロ１Ａからスマートフォン５Ａに伝達される。鍋が所定の温度に達すると、表示操作部５２やスピーカー５５ｓを介して、例えば「材料を鍋に入れ、すばやく炒めてください。」などと、調理方法の説明が支援情報として提供される。バーナーＢの運転状態や、鍋の温度の変化、加熱時間などは、運転状態情報としてガスコンロ１Ａからスマートフォン５Ａに伝達される。所定の炒め時間が経過すると、表示操作部５２やスピーカー５５ｓを介して、例えば「調理完了です。バーナーを消火してください。」などと、支援情報が提供される。バーナーＢの火が消えたことや、鍋の温度は、運転状態情報としてガスコンロ１Ａからスマートフォン５Ａに伝達される。さらに、表示操作部５２やスピーカー５５ｓを介して、例えば「暖かいうちに、皿に移してください。ラップをかけて保存する場合は、充分に冷めてから行ってください。」など、調理後の料理の扱いについての説明が支援情報として提供されると好適である。
【００９１】
尚、ここでは、ユーザーは、最初にチャーハンの調理方法を尋ねるために音声入力したのちは、新たに音声入力することなく、支援情報を受け取るだけの形態を例示したが、調理の途上でも音声入力は可能である。例えば、ユーザーが、「もう、鍋は温まりましたか。」、「まだ、炒めますか。」などと質問し、その質問に応じた説明情報が提供されてもよい。
【００９２】
〔具体例７〕
また、加熱調理システム９は、調理支援機能の１つとして自動調理機能をユーザーがより容易に使いこなせるように、チューター機能も備えている。このチューター機能では、説明情報生成部６２は、調理種別に応じたレシピを複数の調理工程の実行順序より示す情報を説明情報として生成する。端末側報知情報生成部８４は、実行中の調理工程が進捗に応じて強調されるように、端末側報知情報を生成する。以下、自動調理機能としての自動炊飯機能を利用する際を例として説明する。ここでは、自動調理機能として自動炊飯機能を利用する形態を例示するが、当然ながらアラカルト調理等、他の調理にも適用可能である。
【００９３】
図２４に示すように、ユーザーは、スマートフォン５Ａにおいて実行されるアプリケーションプログラムの機能によって表示操作部５２に表示される操作標章を操作して、自動炊飯機能を選択する。説明情報生成部６２は、調理種別に応じた調理方法を複数の調理工程の実行順序より示す情報を説明情報として生成する。図２４において、“準備−点火−加熱−むらし”と表示されている情報は、調理種別としての炊飯の複数の調理工程を、その実行順序により示す説明情報に相当する。また、この時点において後バーナーＢＢに鍋が設置されていない場合には、ユーザーが点火に至るまでの準備を完了していないことになる。運転状態情報には、調理支援機能の進捗を少なくとも示す調理支援機能実行情報が少なくとも含まれている。例えば、調理支援機能実行情報には、現在の進捗が“準備”の段階であることを示す情報が含まれている。説明情報生成部６２は、この運転状態情報に基づいて、米の量や研ぎ方、水加減など、炊飯のレシピを示す情報を説明情報として生成する。端末側報知制御部８５は、現在実行中の工程である“準備”を強調し、説明情報を表示させる。
【００９４】
鍋の準備が完了し、鍋が後バーナーＢＢにセットされると、その情報は運転状態情報に含まれてガスコンロ１Ａからスマートフォン５Ａに伝達される。説明情報生成部６２は、この運転状態情報に基づいて、準備工程の次の点火工程について説明情報を生成する。図２４では、炊飯キーｋ２の操作方法、バーナー用ダイヤルスイッチ３２の操作方法が、説明情報として生成され、表示操作部５２に表示される例を示している。この際、現在実行中の工程である“点火”が強調表示される。加熱及び蒸らしの工程が実行されているときには、運転状態情報に基づいて、それぞれの状態を説明する情報が説明情報として生成され、表示操作部５２に表示される。
【００９５】
〔具体例８〕
具体例７の説明においては、調理支援機能が実行されている際に、その進行状況に応じてスマートフォン５Ａの表示操作部５２の表示内容が変更される形態を例示した。しかし、そのような進行状況は報知することなく、調理種別に応じた調理方法の詳細な情報が説明情報として生成され、表示されてもよい。調理支援機能が実行された際には、運転状態情報に調理種別に応じた調理方法の情報が含まれる。スマートフォン５Ａの説明情報生成部６２は、選択された調理種別の詳細な調理方法や、関連するガスコンロ１Ａの機能説明、より好適な仕上がりを得るための前処理や後処理の方法など、調理種別に応じた調理方法に関するさらに詳細な情報を説明情報として生成する。尚、このような詳細な情報は、ＨＭＩ制御部５１の調理器データベース８０にあらかじめ格納されていてもよいし、ワイヤレス通信網Ｎを介してインターネット上のデータベースから取得してもよい。
【００９６】
例えば、アラカルト調理機能によりローストビーフの調理を行った場合、「調理前に冷蔵庫から出して室温程度に戻します。」、「お好みでにんにくや他の香辛料を揉みこんでもいいでしょう。」などと、レシピの詳細な情報が表示操作部５２に表示されると好適である。ユーザーは、次回にローストビーフの調理を行う際には、より自分の好みに合った仕上がりを得ることができる。
【００９７】
〔具体例９〕
上記の説明においては、文字やイラストなどによって具体的に調理の進行状態を報知する形態を例示したが、空気や水などをモチーフとした抽象的なアニメーションによって、感覚的に進行状態を報知してもよい。図２５は、自動炊飯機能の実行中における抽象的なアニメーションの一例を示している。図２５の左側は、点火後に加熱を始めて水温が上昇途上にあるときの進行状態を示している。鍋ややかんの中の水の動きは穏やかであり、ここでは、凪いだ水の動きを示すような穏やかなアニメーションにより進行状態が表現される。図２５の中央は、水温が１００度に達し、沸騰している状態を示している。鍋ややかんの中では、水が激しく対流し、沸騰によって水は激しく振動している。ここでは、激しく波打って動く水の動きを示すようなアニメーションにより進行状態が表現される。図２５の右側は、沸騰が終わり、余分な水分の蒸発や、蒸らしが行われている状態を示している。ここでは、湯気が立ち上る様子を示すようなアニメーションにより進行状態が表現される。
【００９８】
例えば、自動炊飯が行われているような場合、ユーザーは台所を離れて、居間などでくつろいでいる可能性もある。その際、このような抽象的なアニメーションによって進行状態が報知されると、ガスコンロ１Ａと連携するスマートフォン５Ａをインテリアとして利用することも可能である。そして、より自然な形態で調理の進行をユーザーに報知するこことも可能となる。
【産業上の利用可能性】
【００９９】
本発明は、被加熱物を加熱する加熱調理器と、当該加熱調理器とワイヤレス通信網を介して通信可能な携帯情報端末とを有する加熱調理システムに利用することができる。また、被加熱物を加熱する加熱調理器と、ワイヤレス通信網を介して通信可能な携帯情報端末において、実行される加熱調理システム用アプリケーションプログラムに利用することができる。
【符号の説明】
【０１００】
１        ：加熱調理器
１Ａ      ：ガスコンロ（加熱調理器）
３        ：コンロ操作部（調理器操作部）
３ｂ      ：バーナー操作シート（調理器操作部）
３ｇ      ：グリル操作シート（調理器操作部）
３ｍ      ：操作パネル（調理器操作部）
３ｓ      ：操作シート（調理器操作部）
４ｇ      ：グリルインジケータ（調理器側報知部）
５        ：携帯情報端末
５Ａ      ：スマートフォン（携帯情報端末）
９        ：加熱調理システム
１１      ：調理器制御部
１２      ：調理器側操作情報取得部
１３      ：運転状態情報生成部
１４      ：調理器側報知制御部
１９      ：調理器側通信制御部
５１      ：ＨＭＩ制御部
５２      ：表示操作部（端末側表示部）
５９      ：端末側通信制御部
６１      ：運転状態情報取得部
６２      ：説明情報生成部
６３      ：端末側報知情報生成部
７１      ：端末側操作情報取得部
７３      ：遠隔操作情報生成部
８５      ：端末側報知制御部
Ｂ        ：バーナー（加熱部）
ＢＢ      ：後バーナー（加熱部）
ＢＬ      ：左バーナー（加熱部）
ＢＲ      ：右バーナー（加熱部）
Ｇ        ：グリル（加熱部）
Ｎ        ：ワイヤレス通信網
Ｐ        ：被加熱物
Ｓ        ：加熱部
【図１】
2014163537.tif 000003
【図２】
2014163537.tif 000004
【図３】
2014163537.tif 000005
【図４】
2014163537.tif 000006
【図５】
2014163537.tif 000007
【図６】
2014163537.tif 000008
【図７】
2014163537.tif 000009
【図８】
2014163537.tif 000010
【図９】
2014163537.tif 000011
【図１０】
2014163537.tif 000012
【図１１】
2014163537.tif 000013
【図１２】
2014163537.tif 000014
【図１３】
2014163537.tif 000015
【図１４】
2014163537.tif 000016
【図１５】
2014163537.tif 000017
【図１６】
2014163537.tif 000018
【図１７】
2014163537.tif 000019
【図１８】
2014163537.tif 000020
【図１９】
2014163537.tif 000021
【図２０】
2014163537.tif 000022
【図２１】
2014163537.tif 000023
【図２２】
2014163537.tif 000024
【図２３】
2014163537.tif 000025
【図２４】
2014163537.tif 000026
【図２５】
2014163537.tif 000027